(57)【要約】【課題】棚柱を壁部の自由な位置に配置して固定することができる棚柱取付具を提供する。【解決手段】長尺に形成された棚柱３を壁部２に取り付けるための棚柱取付具１０であって、棚柱３の長手方向に対する左右のいずれか一方の側面部３Ｂ、３Ｃに当接する第１取付具３０と、棚柱３の左右のいずれか他方の側面部３Ｃ、３Ｂを押圧し、第１取付具３０と協働して棚柱を左右方向から挟み込む第２取付具２０とを備え、第１取付具３０および第２取付具２０のそれぞれには、棚柱３の側方に突出し、棚柱３を挟み込んだ状態で壁部２に取り付けられる取付部２４、３４が設けられている。【選択図】図２
2014223196.tif 000002
【特許請求の範囲】
【請求項１】
長尺に形成された棚柱を壁部に取り付けるための棚柱取付具であって、
前記棚柱の長手方向に対する左右の側面を挟み込み、前記棚柱を挟み込んだ状態で前記棚柱の側方で前記壁部に取り付けられることを特徴とする棚柱取付具。
【請求項２】
前記棚柱の長手方向に対する左右のいずれか一方の側面部に当接する第１取付具と、
前記棚柱の左右のいずれか他方の側面部を押圧し、前記第１取付具と協働して前記棚柱を左右方向から挟み込む第２取付具とを備え、
前記第１取付具および前記第２取付具のそれぞれには、前記棚柱の側方に突出し、前記棚柱を挟み込んだ状態で前記壁部に取り付けられる取付部が設けられていることを特徴とする請求項１に記載の棚柱取付具。
【請求項３】
前記第２取付具は、前記棚柱の正面部を覆うように取り付けられていることを特徴とする請求項２に記載の棚柱取付具。
【請求項４】
前記第１取付具の前記取付部には、取付ねじが挿通される第１取付穴が設けられ、前記第２取付具の前記取付部には、前記取付ねじが前記第１取付穴と一緒に挿通される第２取付穴が設けられており、
前記第１取付穴および前記第２取付穴に前記取付ねじを挿通させたときに、前記第２取付具が左右方向へ移動して前記棚柱を挟み込むように構成されていることを特徴とする請求項２または請求項３に記載の棚柱取付具。
【請求項５】
前記第１取付具には、前記棚柱を挟み込んだ状態で、前記棚柱の前記左右のいずれか一方の側面部に食い込む第１爪部が設けられていることを特徴とする請求項２から請求項４のいずれか１つに記載の棚柱取付具。
【請求項６】
前記第２取付具には、前記棚柱を挟み込んだ状態で、前記棚柱の前記左右のいずれか他方の側面部に食い込む第２爪部が設けられていることを特徴とする請求項２から請求項５のいずれか１つに記載の棚柱取付具。
【請求項７】
前記第１取付具または前記第２取付具には、前記第２取付具の左右への移動を案内するガイド部が設けられていることを特徴とする請求項２から請求項６のいずれか１つに記載の棚柱取付具。
【請求項８】
前記第１取付具または前記第２取付具には、前記第２取付具の前後方向への移動を規制する規制部が設けられていることを特徴とする請求項７に記載の棚柱取付具。
【発明の詳細な説明】
【技術分野】
【０００１】
本発明は、収納棚の棚柱を部屋の壁面などに取り付けるための棚柱取付具に関する。
【背景技術】
【０００２】
従来、部屋の壁部に棚柱を固定し、この棚柱に棚板等を取り付ける態様の収納棚がある。この棚柱は、上下方向に長尺に形成されており、その正面部には、上下方向に間隔を空けて複数の引っ掛け穴が設けられている。この引っ掛け穴には、棚板等を支えるアーム部材が穴位置に合わせた任意の高さに取り付けられる。また、棚柱の正面部には、上述した引っ掛け穴とは別に、棚柱を壁部に固定するための取付穴が設けられている。棚柱は、この取付穴を壁部の裏桟の位置に合わせてタッピングねじをねじ込むことによって固定される。
【０００３】
一方、棚柱の配置は、棚柱の取付穴が裏桟の位置に来るようにしなければならないため、棚柱を思い通りの位置に取り付けられないことがある。そのため、上述した複数の引っ掛け穴と取付穴とを共用にすることで、タッピングねじで固定可能な位置を複数の引っ掛け穴の位置と同じにし、棚柱の配置の自由度を高める技術がある。この技術では、タッピングねじで固定する穴（裏桟のある位置と対応する穴）の裏側から取付片を宛がうことによって、棚柱の固定強度が確保できるようにしてある（例えば、特許文献１参照）。
【先行技術文献】
【特許文献】
【０００４】
【特許文献１】実用新案登録第３１１８４９９号公報
【発明の概要】
【発明が解決しようとする課題】
【０００５】
しかしながら、上述の技術では、取付作業者は棚柱の裏側で取付片を裏桟の位置まで移動させなければならないため、取付片を直接掴むことができず、組み立て作業性が悪かった。また、タッピングねじをねじ込む穴位置が引っ掛け穴の穴位置と共用であるため、引っ掛け穴の上下のピッチ分だけ棚柱を動かして配置しなければならず、棚柱を自由に配置することができない。
【０００６】
本発明は、上述した事情を鑑みてなされたものであり、その目的は、棚柱を壁部の自由な位置に配置して固定することができる棚柱取付具を提供するためのものである。
【課題を解決するための手段】
【０００７】
上述課題を解決するため、本発明は、長尺に形成された棚柱を壁部に取り付けるための棚柱取付具であって、前記棚柱の長手方向に対する左右の側面を挟み込み、前記棚柱を挟み込んだ状態で前記棚柱の側方で前記壁部に取り付けられることを特徴とする。
【０００８】
また、前記棚柱の長手方向に対する左右のいずれか一方の側面部に当接する第１取付具と、前記棚柱の左右のいずれか他方の側面部を押圧し、前記第１取付具と協働して前記棚柱を左右方向から挟み込む第２取付具とを備え、前記第１取付具および前記第２取付具のそれぞれには、前記棚柱の側方に突出し、前記棚柱を挟み込んだ状態で前記壁部に取り付けられる取付部が設けられている。
【０００９】
また、前記第１取付具の前記取付部には、取付ねじが挿通される第１取付穴が設けられ、前記第２取付具の前記取付部には、前記取付ねじが前記第１取付穴と一緒に挿通される第２取付穴が設けられており、前記第１取付穴および前記第２取付穴に前記取付ねじを挿通させたときに、前記第２取付具が左右方向へ移動して前記棚柱を挟み込むように構成されていてもよい。
【００１０】
さらに、前記第２取付具は、前記棚柱の正面部を覆うように取り付けられていてもよい。
【００１１】
また、前記第１取付具には、前記棚柱を挟み込んだ状態で、前記棚柱の前記左右のいずれか一方の側面部に食い込む第１爪部が設けられていてもよい。
【００１２】
さらに、前記第２取付具には、前記棚柱を挟み込んだ状態で、前記棚柱の前記左右のいずれか他方の側面部に食い込む第２爪部が設けられていてもよい。
【００１３】
また、前記第１取付具または前記第２取付具には、前記第２取付具の左右への移動を案内するガイド部が設けられていてもよい。
【００１４】
さらにまた、前記第１取付具または前記第２取付具には、前記第２取付具の前後方向への移動を規制する規制部が設けられていてもよい。
【発明の効果】
【００１５】
本発明に係る棚柱取付具では、棚柱の長手方向に対する左右の側面を挟み込むことで棚柱に対して棚柱取付具を固定しているので、棚柱の長手方向のどの部分にでも棚柱取付具を自由に移動させることができる。そのため、棚柱取付具を壁部の裏桟の位置に合わせて自由に配置することができる。その結果、壁部に棚柱を固定する際に、裏桟の位置を気にせずに棚柱を自由に配置することができる。
また、棚柱取付具は、棚柱を挟み込んだ状態で前記棚柱の側方で前記壁部に取り付けられるので、棚柱取付具の取付作業を容易に行うことができる。
【図面の簡単な説明】
【００１６】
【図１】本発明の実施の形態に係る棚柱取付具を使用した収納棚を示す全体概要斜視図である。
【図２】棚柱取付具の分解斜視図である。
【図３】図２の棚柱取付具を取り付けた状態を示す斜視図である。
【図４】図３で示す棚柱取付具の拡大図である。
【図５】図４で示す棚柱取付具の断面図であって、（Ａ）は取付ねじを締結する前の状態を示し、（Ｂ）は取付ねじを締結した後の状態を示す。
【図６】第２実施形態であって、棚柱取付具の分解斜視図である。
【図７】図６の棚柱取付具を取付前に組み立てた状態を示す斜視図である。
【図８】図７の棚柱取付具を取り付けた状態であって、棚柱取付具を拡大して示す斜視図である。
【図９】第３実施形態であって、棚柱取付具の分解斜視図である。
【図１０】図９の棚柱取付具を取付前に組み立てた状態を示す斜視図である。
【図１１】図１０の棚柱取付具を取り付けた状態であって、棚柱取付具を拡大して示す斜視図である。
【発明を実施するための形態】
【００１７】
（第１実施形態）
以下、本発明の第１の実施の形態に係る棚柱取付具１０について、図１〜図５を用いて詳細に説明する。なお、以下の説明で使用する前後、上下、左右の方向は、図１で示す棚柱３を正面から見た方向（詳細は、図２〜図５で矢印で示す方向）をいうものとする。
【００１８】
収納棚１は、図１に示すように、部屋の壁部２に固定される棚柱３に棚板等（棚板４、ハンガーパイプ６、戸棚（図示せず）などをいう）を取り付けて構成されている。この収納棚１は、箱形の収納家具などと比較して、利用者の部屋の状態に合わせて棚板等を自由に設置できると共に、棚板等の設置高さを自由に設定できる点で利便性を有している。
【００１９】
棚柱３は、長手方向が上下に向くようにして配置され、棚板等の幅寸法に合わせて並設される。この棚柱３は、図２〜図５に示すように、断面が略コ字形状に形成されており、３つの平面部（正面部３Ａ、右側面部３Ｂ、左側面部３Ｃ）を有している。棚柱３は、このコ字形状の開口側が壁部２の壁面と対向するようにして取り付けられている。
【００２０】
棚柱３の正面部３Ａには、長手方向に所定のピッチで複数の引っ掛け穴Ｈが形成されている。この引っ掛け穴Ｈには、図１に示すように、棚板４或いはハンガーパイプ６を支持するための棚板用アーム部材５およびハンガーパイプ用アーム部材７が取り付けられる。これらのアーム部材５、７が取り付けられた状態では、その後端部は、棚柱３の略コ字形状の内側に位置するようになり、後端部が壁部と干渉しないようになっている。これらのアーム部材５、７を複数の引っ掛け穴Ｈから任意に選択して取り付けることによって、上述した所定のピッチ毎に棚板等の高さを調整して取り付けられるようになる。
【００２１】
上述した棚柱３は、棚柱取付具１０によって壁部２に固定される。この棚柱取付具１０は、図２〜図５に示すように、第１取付具３０と第２取付具２０とによって構成されている。
【００２２】
第２取付具２０は、図２〜図５に示すように、棚柱３の表面側（正面部３Ａ側）を覆うように取り付けられる。より詳細には、第２取付具２０は、棚柱３の正面部３Ａに対応する正面部２１と、右側面部３Ｂに対応する右側面部２２と、左側面部３Ｃに対応する左側面部２３とを備えており、これらが断面コ字形状に形成されている。また、第２取付具２０は、右側面部２２の奥側端部から壁部２の壁面に沿って右側（棚柱３の側方）へ延びる取付部２４を備えている。この取付部２４は、図５（Ａ）および図５（Ｂ）に示すように、棚柱取付具１０を壁部２に取り付けた状態で、詳細は後述する第１取付具３０の取付部３４と接するように形成されている。これらの正面部２１、右側面部２２、左側面部２３、および取付部２４は、板材を折り曲げ加工することによって一体に形成されている。
【００２３】
取付部２４の中央には、第２取付穴２５が形成されている。この第２取付穴２５の直径は、詳細は後述するタッピングねじ４０（取付ねじ）の直径とほぼ一致しており、第２取付穴２５にタッピングねじ４０を挿通させたときに、隙間なく嵌合するようになっている。
【００２４】
第２取付具２０の左側面部２３の奥側角部には、棚柱３の左側面部３Ｃに向けて折り曲げられた第２爪部２６が形成されている。なお、この第２爪部２６は、角部だけではなく、奥側の辺に沿って連続して折り曲げられていてもよい。
【００２５】
第１取付具３０は、断面略Ｌ字状に形成されており、棚柱３の右側面部３Ｂに対応する当接部３２と、この当接部３２の奥側端部から壁部２の壁面に沿って右側（棚柱３の側方）へ延びる取付部３４とを備えている。この取付部３４は、図５（Ａ）および図５（Ｂ）に示すように、棚柱取付具１０を壁部２に取り付けた状態で、壁部２の壁面と接するように形成されている。これらの当接部３２、および取付部３４は、板材を折り曲げ加工することによって一体に形成されている。
【００２６】
取付部３４の中央には、第１取付穴３５が形成されている。この第１取付穴３５の直径は、詳細は後述するタッピングねじ４０の直径とほぼ等しく形成されており、第１取付穴３５にタッピングねじ４０を挿通させたときに、隙間なく嵌合するようになっている。
【００２７】
また、第１取付具３０の当接部３２の手前側角部には、棚柱３の右側面部３Ｂに向けて折り曲げられた第１爪部３６が形成されている。なお、この第１爪部３６は、角部だけではなく、手前側の辺に沿って連続して折り曲げられていてもよい。
【００２８】
第２取付具２０は、図５（Ａ）に示すように、棚柱３の右側面部３Ｂに第１取付具３０の当接部３２を当接させた状態で、棚柱３の表面側から被せるようにして取り付けられる。または、第２取付具２０は、第１取付具３０の右側面部２２に第２取付具２０の当接部３２を当接させた状態で、第１取付具３０と一緒に棚柱３の表面側から被せるようにして取り付けるようにしてもよい。いずれの取付方であっても、第１取付具３０の当接部３２は、棚柱３の右側面部３Ｂと、第２取付具２０の右側面部２２との間に入り込むようにして組み立てられる。
【００２９】
また、図５（Ａ）に示すように、第２取付穴２５および第１取付穴３５は、第２取付具２０の右側面部２２と第１取付具３０の当接部３２とが接する状態で、それぞれの中心位置が寸法Ｔだけずれるように形成されている。より詳細には、第２取付穴２５の中心位置は、第１取付穴３５の中心位置に対し、左側へ寸法Ｔだけずれている。
【００３０】
さらに、図５（Ａ）の状態では、棚柱３の左側面部３Ｃと第２取付具２０の左側面部２３との間には、若干の隙間が設けられている。この隙間を設けることによって、タッピングねじ４０を取り付ける前に、棚柱取付具１０を棚柱３の長手方向に沿って自由にスライド移動させることができるようになっている。
【００３１】
タッピングねじ４０は、図５（Ｂ）に示すように、正面側から壁部２に向かってねじ込むように取り付けられる。このタッピングねじ４０は、第２取付具２０の取付部２４が第１取付具３０の取付部３４と前後方向で接し、第１取付具３０が壁部２の壁面と前後方向で接しているので、取り付けるときにそれぞれが隙間なく重なって接するようになり、棚柱取付具１０が壁部２に強固に取り付けられるようになる。
【００３２】
また、タッピングねじ４０を取り付けた状態では、図５（Ｂ）に示すように、第２取付具２０は、寸法Ｔの分だけ押圧方向Ｘに移動する。これにより、第２取付具２０の左側面部２３は、棚柱３の左側面部３Ｃと突き当たり、左側面部３Ｃを右側に向けて押圧するようになる。その結果、棚柱３は、第２取付具２０の左側面部２３と第１取付具３０の当接部３２とで左右方向から挟み込まれるとともに、棚柱取付具１０によって壁部２に固定されるようになる。
【００３３】
次に、棚柱取付具１０の作用について、図５（Ａ）、図５（Ｂ）を用いて説明する。
取付作業者は、まず、棚柱３を壁部２の取り付けたい位置に自由に配置し、棚柱取付具１０を棚柱３の表面側から被せるようにして取り付ける。タッピングねじ４０をねじ込む前の状態では、図５（Ａ）に示すように、棚柱取付具１０は、棚柱３に対して固定されていない。そのため、取付作業者は、棚柱取付具１０を棚柱３の表面側から掴んで、壁部２の裏桟８（図１参照）の位置まで長手方向に沿って自由に移動させる。
【００３４】
この状態で、取付作業者は、タッピングねじ４０を第１取付穴３５および第２取付穴２５に挿通させ、壁部２にねじ込むようにして取り付ける。これにより、棚柱３は、第１取付具３０および第２取付具２０によって左右から挟み込まれるようにして固定されると共に、裏桟８の位置に強固に固定されるようになる。このように、棚柱取付具１０を棚柱３の長手方向の任意の位置に自由に移動させた後に固定することができるので、取付作業者は、裏桟８の位置に合わせて棚柱３を調整して配置する必要がなく、取付位置の自由度を高めることができる。
【００３５】
また、第１取付具３０と第２取付具２０とで棚柱３を挟み込んだときに、第１爪部３６および第２爪部２６は、棚柱３の左右の側面部３Ｂ，３Ｃにそれぞれ食い込むようになる。棚柱３は、アルミ等の金属や樹脂材料などで形成されており、第１取付具３０および第２取付具２０は鉄などの金属材料で形成されている。そのため、これらの爪部２６、３６は、棚柱３に食い込みやすい。これにより、棚柱３を棚柱取付具１０で挟み込んだときに、その狭圧力に加えて第１爪部３６および第２爪部２６の食い込み力によって強固に保持できるようになる。
【００３６】
本発明の第１の実施の形態に係る棚柱取付具１０によれば、棚柱３の長手方向に対する右側面部３Ｂに当接する第１取付具３０と、棚柱３の左側面部３Ｃを押圧し、第１取付具３０と協働して棚柱３を左右方向から挟み込む第２取付具２０とを備え、第１取付具３０および第２取付具２０のそれぞれには、棚柱３の側方に突出し、棚柱３を挟み込んだ状態で壁部２に取り付けられる取付部２４、３４が設けられているので、簡単な構造で棚柱３を左右から挟み込むことができる。
また、挟み込む構造にすることで、棚柱３の長手方向のどの部分にでも棚柱取付具１０を配置することができる。そのため、棚柱取付具１０を壁部２の裏桟８の位置に合わせて自由に配置することができる。その結果、棚柱３を自由な位置に配置して壁部２に固定することができる。
さらに、棚柱取付具１０は、棚柱３を挟み込んだ状態で棚柱３の側方で壁部２に取り付けられるので、棚柱取付具１０の取付作業を容易に行うことができる。
【００３７】
また、第２取付具２０は、棚柱３の正面部３Ａを覆うように取り付けられているので、従来技術のように取付片を棚柱の裏側で移動させる構造ではないため、取付作業者は棚柱３の表面側から棚柱取付具１０を掴んで容易に移動させることができる。そのため、取付作業性がよい。
【００３８】
さらに、第１取付具３０の取付部３４には、タッピングねじ４０が挿通される第１取付穴３５が設けられ、第２取付具２０の取付部２４には、タッピングねじ４０が第１取付穴３５と一緒に挿通される第２取付穴２５が設けられており、第１取付穴３５および第２取付穴２５にタッピングねじ４０を挿通させたときに、第２取付具２０が左右方向へ移動して棚柱３を挟み込むように構成されているので、取付作業者は、タッピングねじ４０を締め込むだけで、棚柱取付具１０で棚柱３挟み込むことと、壁部２への固定することの両方を一度に行うことができる。そのため、取付作業性がよい。
【００３９】
また、第１取付具３０には、棚柱３を挟み込んだ状態で、棚柱３の右側面部に食い込む第１爪部３６が設けられているので、棚柱３を棚柱取付具１０で挟み込んだときに、その狭圧力に加えて第１爪部３６の食い込み力によって強固に保持できるようになる。そのため、収納棚１の耐荷重を高めることができる。
【００４０】
さらに、第２取付具２０には、棚柱３を挟み込んだ状態で、棚柱３の左側面部に食い込む第２爪部２６が設けられているので、棚柱３を棚柱取付具１０で挟み込んだときに、その狭圧力に加えて第２爪部２６の食い込み力によって強固に保持できるようになる。そのため、収納棚１の耐荷重を高めることができる。
【００４１】
以上、本発明の実施の形態に係る棚柱取付具について述べたが、本発明は既述の実施形態に限定されるものではなく、本発明の技術思想に基づいて各種の変形および変更が可能である。
例えば、本実施の形態では、第１取付具３０が棚柱３の右側面部３Ｂと当接し、第２取付具２０が棚柱３の左側面部３Ｃを押圧するようにしているが、それぞれの機能を逆にして構成することもできる。すなわち、第１取付具３０が棚柱３の左側面部３Ｃと当接し、第２取付具２０が棚柱３の右側面部３Ｂを押圧するように構成することもできる。この場合、取付部２４、３４は、棚柱３の左側方に突出するように形成する。このように左右を逆に構成しても、上述した本発明の効果を得ることができる。
【００４２】
また、本実施の形態では、タッピングねじ４０を締め込むことによって、棚柱３を挟み込む機能と壁部２に固定する機能を同時に実現させているが、別個に機能させる構成であっても構わない。すなわち、棚柱取付具１０を棚柱３にジャッキボルトのようなもので挟み込んで固定する一方、タッピングねじ４０で壁部２に固定するように構成することもできる。
【００４３】
（第２実施形態）
以下、本発明の第２の実施の形態に係る棚柱取付具１１０について、図６〜図８を用いて説明する。なお、以下の説明では、第１実施形態と異なる構造および効果について説明し、同一の構造については同一の符号を付すことによってその詳細な説明を省略する。
【００４４】
棚柱取付具１１０は、図６に示すように、第２取付具２０と第１取付具１３０とで構成されている。第１取付具１３０の取付部３４の上端部および下端部には、手前側に向けて略直角に折り曲げられたガイド部１３７がそれぞれに設けられている。この上下のガイド部１３７は、第２取付具２０と第１取付具１３０とを組み付けた状態で、図７および図８に示すように、第２取付具２０の取付部２４の上端部および下端部と摺動可能な程度に隙間を空けて対向している。この状態でタッピングねじ４０を第１および第２取付穴２５、３５に挿通させると、第２取付具２０は、ガイド部１３７に沿って左右方向へ移動するようになる。
【００４５】
本発明の第２実施形態に係る棚柱取付具１１０によれば、第１取付具１３０には、第２取付具２０の左右方向への移動を案内するガイド部１３７が設けられているので、第２取付具２０が上下にずれることなく、第２取付具２０を左右にスムーズに摺動移動させることができる。その結果、第１および第２取付具２０、１３０によって棚柱３を左右からスムーズに挟み込むことができる。
【００４６】
なお、本第２実施形態では、第１取付具１３０側にガイド部１３７を設けるようにしているが、第１取付具側ではなくて第２取付具側にガイド部を設けるようにしてもよい。
【００４７】
（第３実施形態）
以下、本発明の第３の実施の形態に係る棚柱取付具２１０について、図９〜図１１を用いて説明する。なお、以下の説明では、第１実施形態および第２実施形態と異なる構造および効果について説明し、同一の構造については同一の符号を付すことによってその詳細な説明を省略する。
【００４８】
棚柱取付具２１０は、図９に示すように、第２取付具２２０と第１取付具２３０とで構成されている。第１取付具２３０の取付部３４の上端部および下端部には、第２実施形態で記載したガイド部１３７がそれぞれに設けられている。また、このガイド部１３７の手前側端部には、取付部３４と略平行に内側へ折り曲げられた規制部２３８がそれぞれに設けられている。この規制部２３８は、第２取付具２２０と第１取付具２３０とを組み付けた状態で、図１０および図１１に示すように、第２取付具２２０の取付部２４の手前側の面と規制部２３８とが摺動可能な程度に隙間を空けて対向している。この状態でタッピングねじ４０を第１および第２取付穴２５、３５に挿通させると、第２取付具２０は、上下方向および前後方向にずれることなく、ガイド部１３７および規制部２３８に沿って左右方向へ移動するようになる。
【００４９】
また、第２取付具２２０には、図９〜図１１に示すように、右側面部２２と取付部２４との角部分に、切欠き部２２７が形成されている。この切欠き部２２７は、第１取付具２３０を第２取付具２２０のコ字形状の内側から取付部２４に沿ってスライドさせて組み付ける際に（図１０参照）、規制部２３８と角部分が干渉しないようにするためのものである。このように第１取付具２３０と第２取付具２２０とを予め組み付けておくことで、タッピングねじ４０をねじ込む際に、取付作業者は棚柱取付具２１０を片手で容易に支えることができるので、取付作業性が向上する。
【００５０】
本発明の第３実施形態に係る棚柱取付具２１０によれば、第１取付具２３０には、第２取付具２２０の前後方向への移動を規制する規制部２３８が設けられているので、第２取付具２２０が前後方向にずれることなく、第２取付具２２０を左右にスムーズに摺動移動させることができる。その結果、第１および第２取付具２２０、２３０によって棚柱３を左右からスムーズに挟み込むことができる。
【００５１】
なお、本第３実施形態では、第１取付具２３０側にガイド部１３７および規制部２３８を設けるようにしているが、第１取付具側ではなくて第２取付具側にガイド部および規制部を設けるようにしてもよい。
【符号の説明】
【００５２】
１  収納棚
２  壁部
３  棚柱
３Ａ  正面部
３Ｂ  右側面部
３Ｃ  左側面部
４  棚板
５  棚板用アーム部材
６  ハンガーパイプ
７  ハンガーパイプ用アーム部材
８  裏桟
１０、１１０、２１０  棚柱取付具
２０、２２０  第２取付具
２１  正面部
２２  右側面部
２３  左側面部
２４  取付部
２５  第２取付穴
２６  第２爪部
３０、１３０、２３０  第１取付具
３２  当接部
３４  取付部
３５  第１取付穴
３６  第１爪部
４０  タッピングねじ（取付ねじ）
１３７  ガイド部
２２７  切欠き部
２３７  規制部
Ｈ  引っ掛け穴
Ｔ  取付穴のずれ寸法
Ｘ  押圧方向
【図１】
2014223196.tif 000003
【図２】
2014223196.tif 000004
【図３】
2014223196.tif 000005
【図４】
2014223196.tif 000006
【図５】
2014223196.tif 000007
【図６】
2014223196.tif 000008
【図７】
2014223196.tif 000009
【図８】
2014223196.tif 000010
【図９】
2014223196.tif 000011
【図１０】
2014223196.tif 000012
【図１１】
2014223196.tif 000013